(57)【要約】      （修正有）【課題】装着が容易であるとともに作業時に外れにくく、首周りのフィット感に優れた冷却具を提案する。【解決手段】首に巻き付けて使用する帯状の冷却具１００であって、保冷体を収納するための複数の袋状部１２〜１５が当該冷却具の長手方向に沿って並設された保冷体収納部と、当該冷却具の長手方向両端に設けられて互いに着脱自在の止着部１１ａ、１１ｂと、当該冷却具の短手方向端部に沿って前記袋状部毎に形成された複数の開口部と、前記開口部の一方の縁部を延長して他方の縁部を覆うように折り返して形成された蓋部１２ａ〜１５ａと、を備え、当該冷却具の長手方向における前記蓋部の両端は、前記保冷体収納部の外面に対して固定されている。【選択図】図３
0003182147.tif 000002
【実用新案登録請求の範囲】
【請求項１】
首に巻き付けて使用する帯状の冷却具であって、
保冷体を収納するための複数の袋状部が当該冷却具の長手方向に沿って並設された保冷体収納部と、
当該冷却具の長手方向両端に設けられて互いに着脱自在の第１の止着部と、
当該冷却具の短手方向端部の一方に沿って前記袋状部毎に形成された複数の開口部と、
前記開口部の一方の縁部を延長して他方の縁部を覆うように折り返して形成された蓋部と、
を備え、
当該冷却具の長手方向における前記蓋部の両端は、前記保冷体収納部の外面に対して固定されていることを特徴とする冷却具。
【請求項２】
前記蓋部は、前記袋状部毎に設けられていることを特徴とする請求項１に記載の冷却具。
【請求項３】
前記蓋部は、隣接する１組の袋状部毎に設けられており、当該隣接する１組の袋状部の境界付近に前記保冷体収納部の外面に対して着脱自在に止着する第２の止着部を有することを特徴とする請求項１に記載の冷却具。
【請求項４】
前記蓋部は、全ての袋状部に対して１つ設けられており、当該冷却具の長手方向において前記袋状部それぞれの略中央付近に前記保冷体収納部の外面に対して着脱自在に止着する第３の止着部を有することを特徴とすることを特徴とする請求項１に記載の冷却具。
【請求項５】
前記第１の止着部は、当該冷却具の長手方向の一方の端部の表面に雄型面ファスナーが設けられ、当該冷却具の長手方向の他方の端部の裏面に雌型面ファスナーが設けられることを特徴とする請求項１〜請求項４の何れか１項に記載の冷却具。
【考案の詳細な説明】
【技術分野】
【０００１】
本考案は首に巻き付けて使用する帯状の冷却具に関する。
【背景技術】
【０００２】
近年、地球温暖化が進行するにつれ、自然環境や人間社会に対する様々な悪影響が報告されている。中でも夏場の気温上昇や猛暑日・夏日の増加は日々の一般的な生活においても身近に感じられる地球温暖化の影響であり、夏場の熱中症患者の増加は大きな社会問題となっている。
【０００３】
一方で電力不足等による節電意識も高まっており、エア・コンディショナーの使用を控える人々の増加も熱中症患者の増加に拍車を掛けているものと考えられる。
【０００４】
このような事情により、電力を必要とせずに体温の上昇を抑えることを可能とする様々な製品が開発されている。例えば特許文献１では、吸水性部材が封入された帯状の冷却用首巻きであって、衣類に脱着可能に取り付けるための取付手段を備えた冷却用首巻きが提案されている。この特許文献１の冷却用首巻きは、スカーフとして首周りに巻き付けたり、着用する衣類の首元の内側に取り付けたりして使用することができる。
【先行技術文献】
【特許文献】
【０００５】
【特許文献１】実用新案登録第３１７１０２６号公報
【考案の概要】
【考案が解決しようとする課題】
【０００６】
しかしながら特許文献１の冷却用首巻きは、次の様な問題がある。
【０００７】
スカーフとして首周りに巻き付けて使用するタイプの冷却用首巻きは、単に首に掛けた状態で使用されるため外れ易く、工事現場等で作業を行う作業者が好適に利用できるものではない。
【０００８】
一方、着用する衣類の首元の内側に取り付けて使用するタイプの冷却用首巻きは、衣類自体が首元の内側に別途衣服側取付部（衣類側面ファスナー）を備える必要があるため、どのような衣類に対しても利用できるものではなく、また、装着の際に手間がかかってしまう。
【０００９】
また、いずれのタイプの冷却用首巻きも首周り全体にフィットするものではないため、冷却効果が余り高くない。更に、特許文献１の冷却用首巻きは、吸水性材料に染み込んだ水が蒸発する際に必要となる気化熱を利用して体温を奪うよう構成されたものであるため、やはり冷却効果はそれほど高くない。
【００１０】
本考案は、上記課題に鑑みてなされたものであり、装着が容易であるとともに作業時に外れにくく、首周りのフィット感に優れ、装着時の使用者の美観を損ないにくい冷却具を提供することを目的とする。
【課題を解決するための手段】
【００１１】
本考案の態様の１つは、首に巻き付けて使用する帯状の冷却具であって、保冷体を収納するための複数の袋状部が当該冷却具の長手方向に沿って並設された保冷体収納部と、当該冷却具の長手方向両端に設けられて互いに着脱自在の第１の止着部と、当該冷却具の短手方向端部に沿って前記袋状部毎に形成された複数の開口部と、前記開口部の一方の縁部を延長して他方の縁部を覆うように折り返して形成された蓋部と、を備え、当該冷却具の長手方向における前記蓋部の両端は、前記保冷体収納部の外面に対して固定されていることを特徴とする冷却具である。
【００１２】
本考案の選択的な態様の１つは、前記蓋部は、前記袋状部毎に設けられていることを特徴とする冷却具である。
【００１３】
本考案の選択的な態様の１つは、前記蓋部は、隣接する１組の袋状部毎に設けられており、当該隣接する１組の袋状部の境界付近に前記保冷体収納部の外面に対して着脱自在に止着する第２の止着部を有することを特徴とする冷却具である。
【００１４】
本考案の選択的な態様の１つは、前記蓋部は、全ての袋状部に対して１つ設けられており、当該冷却具の長手方向において前記袋状部それぞれの略中央付近に前記保冷体収納部の外面に対して着脱自在に止着する第３の止着部を有することを特徴とすることを特徴とする冷却具である。
【００１５】
本考案の選択的な態様の１つは、前記第１の止着部は、当該冷却具の長手方向の一方の端部の表面に雄型面ファスナーが設けられ、当該冷却具の長手方向の他方の端部の裏面に雌型面ファスナーが設けられることを特徴とする冷却具である。
【考案の効果】
【００１６】
本考案によれば、装着が容易であるとともに作業時に外れにくく、首周りのフィット感に優れ、装着時の使用者の美観を損ないにくい冷却具を実現することができる。
【図面の簡単な説明】
【００１７】
【図１】本考案に係る首冷却バンドの上面図である。
【図２】本考案に係る首冷却バンドの底面図である。
【図３】本考案に係る首冷却バンドの斜視図である。
【図４】保冷剤の保冷能力の試験結果を示す表とグラフである。
【図５】図３の試験に用いた保冷体の写真である。
【図６】使用者の正面から見た使用状態を示す図である。
【図７】使用者の左側面から見た使用状態を示す図である。
【図８】第２の実施形態に係る首冷却バンドの斜視図である。
【図９】第３の実施形態に係る首冷却バンドの斜視図である。
【考案を実施するための形態】
【００１８】
以下、下記の順序に従って本考案を説明する。
（１）第１の実施形態：
（２）第２の実施形態：
（３）第３の実施形態：
（４）まとめ：
【００１９】
（１）第１の実施形態：
冷却具としての首冷却バンド１００は、冷却剤を充填した保冷体を内部に収納可能であり、使用者の首に巻き付けて端部を互いに止着することにより、使用者の首に巻き付けた状態を維持して、使用者の首を冷却することができる。
【００２０】
図１は、本考案に係る首冷却バンド１００の上面図であり、図２は、本考案に係る首冷却バンド１００の底面図であり、図３は、本考案に係る首冷却バンド１００の斜視図である。
【００２１】
これらの図に示すように、首冷却バンド１００は帯状であり、保冷体ｃ１〜ｃ４を収納するための保冷体収納部１０と、保冷体収納部１０の左右両端に設けられた互いに着脱自在の第１の止着部としての止着部１１ａ，１１ｂとしての雌雄一対の面ファスナーと、を備えている。
【００２２】
保冷体収納部１０は、所定の間隔で設けられた仕切りによって形成された複数の袋状部１２〜１５を有している。仕切りは、例えば、保冷体収納部１０を布状の材料で形成する場合は、袋状部１２〜１５の間を繊維で縫うことにより実現できる。
【００２３】
なお、本実施形態では、袋状部１２〜１５の数を４つとしたが、これに限るものではなく、５以上としてもよいし、３以下としてもよい。ただし、保冷体ｃ１〜ｃ４が冷却時に柔軟性を有さない場合は、首周りに巻き付けるため、少なくとも４つの袋状部を有することが好ましい。
【００２４】
袋状部の数を多くすれば、首冷却バンド１００を首周りに巻き付けやすくなるし、逆に袋状部の数を少なくすれば、使用時に行う保冷体の袋状部への収納や取り出しの手間が少なくなる。
【００２５】
保冷体収納部１０は、その上側縁１０ａが開口した袋状となっており、内部に保冷体ｃ１〜ｃ４を収納できるよう構成されている。この開口には、保冷体収納部１０の中に収納した保冷体ｃ１〜ｃ４の飛び出し防止のため、蓋部１２ａ〜１５ａを設けてある。
【００２６】
蓋部１２ａ〜１５ａは、開口の一方の縁部を延長して他方の縁部を覆うように折り返して形成されている。この折り返し部分の長さは、首冷却バンド１００の幅の１／４〜１／２の長さとし、例えば１／３程度の長さとする。首冷却バンド１００の長手方向における蓋部１２ａ〜１５ａの両端は、例えば縫合により、保冷体収納部１０の表面に固定されている。
【００２７】
保冷体ｃ１〜ｃ４を袋状部１２〜１５に収納する際は、蓋部１２ａ〜１５ａの中央部を持ち上げて、首冷却バンド１００の上端縁の開口の一部を露出させ、その隙間から保冷体ｃ１〜ｃ４を袋状部１２〜１５に挿入して収納する。
【００２８】
保冷体収納部１０は、柔軟性のある素材で形成されており、例えば、木綿、麻、リンネルなどの植物繊維、羊毛、絹、カシミヤなどの動物繊維、再生セルロースなどの再生繊維、ポリエステル、ナイロンなどの合成繊維、不織布などを用いることができる。
【００２９】
また、保冷体収納部１０の素材は、長手方向に伸縮自在の素材を用いて形成してもよい。このような長手方向に伸縮自在の素材で保冷体収納部１０を形成することにより、使用者の首周りへのフィット感を向上させることができる。
【００３０】
また、保冷体収納部１０の素材は、短手方向（幅方向）にも伸縮性のある素材を用いて形成することが好ましい。短手方向にも伸縮性を有することにより、保冷体ｃ１〜ｃ４の収納が容易になる。
【００３１】
次に止着部について説明する。
止着部１１ａ，１１ｂには、雌雄一対の面ファスナー１１ａ１，１１ｂ１がそれぞれ取り付けられている。雌雄一対の面ファスナー１１ａ１，１１ｂ１は、止着部１１ａと止着部１１ｂとで表裏反対の面に取り付けられており、図１〜３では、面ファスナー１１ａ１は止着部１１ａの底面側（裏面側）に取り付けられ、面ファスナー１１ｂ１は止着部１１ｂの上面側（表面側）に取り付けられている。
【００３２】
このように、面ファスナーの取り付け面を止着部１１ａ，１１ｂとで表裏反対とすることにより、首冷却バンド１００を首に巻き付けた際に雄型面ファスナーと雌型面ファスナーが互いに相対して止着部１１ａ，１１ｂを止着することができる。これにより、後述する図６，７に示すように、使用者の首周りへ首冷却バンド１００を取り付ける際に、容易且つ見た目良く行うことができる。
【００３３】
また、雄型面ファスナーと雌型面ファスナーの少なくとも一方は、首冷却バンド１００の長手方向に長手状とし、首周りの長さの個人差に対応できるよう構成されている。図２に示す例では、面ファスナー１１ａ１を面ファスナー１１ｂ１よりも首冷却バンド１００の長手方向に長く形成してある。
【００３４】
なお、止着部１１ａ，１１ｂに設ける止着手段は面ファスナーに限らず、使用者が容易に操作可能な着脱自在の構成であれば良く、例えばフックやボタンなどで構成しても良い。
【００３５】
止着部１１ａ，１１ｂを形成する材料は、柔軟性のある素材であれば特に限定されないが、例えば、木綿、麻、リンネルなどの植物繊維素材、羊毛、絹、カシミヤなどの動物繊維素材、再生セルロースなどの再生繊維素材、ポリエステル、ナイロンなどの合成繊維素材、不織布などを用いることができる。
【００３６】
また、止着部１１ａ，１１ｂを形成する材料として、伸縮性のあるゴム状の素材を用いても良い。止着部１１ａ，１１ｂを伸縮性のある素材で形成することにより、装着時において首冷却バンド１００の長手方向の長さが好適に調整され、使用者の首周りへのフィット感を向上させることができる。
【００３７】
各袋状部１２〜１５には、保冷体ｃ１〜ｃ４がそれぞれ収納される。保冷体ｃ１〜ｃ４のサイズは、袋状部１２〜１５に収納可能な大きさとする。保冷体ｃ１〜ｃ４が冷却時に柔軟性をほとんど有さない場合は、保冷体ｃ１〜ｃ４を例えば袋状部１２〜１５よりも一回り小さいサイズとする。
【００３８】
保冷体ｃ１〜ｃ４は、ポリエステル等で形成された袋内に、保冷剤（蓄冷剤）を充填して密封したものである。保冷剤の材料は、冷凍庫等で冷却することによって蓄冷可能な素材であれば様々なものが使用可能である。
【００３９】
例えば、保冷剤としては、水を吸収させた高吸水性ポリマー等を用いることができる。さらに具体的な一例としては、重量％で、２０〜２５％の吸水性ポリマー、７５〜８０％の水、０．０１％の防カビ剤、を全体として１００％となる割合で成分を調整した保冷剤が好適に用いられる。
【００４０】
図４は、上述した割合で成分を調整した保冷剤の保冷能力の試験結果を示す表とグラフである。同図に示す試験結果は、一般財団法人カケンテストセンターに依頼して下記の条件で行った。
【００４１】
［試験条件］
（１）保冷体を−２０℃の恒温器に１２時間入れ、冷却する。
（２）恒温器から保冷体を取り出し、速やかに２５℃の恒温恒湿器へ移す。
（３）保冷体の下に熱電対を取り付けた３分後を試験開始とし、温度の経時変化を測定する。
（４）試験は位置を変えて４回測定し、そのデータを平均した値を試験結果とする。
（温湿度：２５±２℃×５０±５％ＲＨ、測定間隔：１分、測定時間：１５０分）
【００４２】
図５は、図４の試験に用いた保冷体の写真である。同図に示すように、図４の試験には、製品品質のバラツキを考慮して、上述した割合で保冷剤の成分を調整した４つの保冷体を被験サンプルとし、それぞれについて上記試験条件にて試験を行った。
【００４３】
試験の結果、４つの保冷体は、図４に示すように、試験開始から９０分が経過した時点でも、何れも１５℃未満を維持することが実証された。一般的に、使用者が冷感を感じるためには、外気温との温度差が１０℃以上であることが必要であると言われる。すなわち、上述した割合で調整した保冷剤を充填した保冷体ｃ１〜ｃ４は、この冷感条件を充足しており、非常に高い冷却能力を有することが分かる。
【００４４】
なお、保冷体ｃ１〜ｃ４は、アルミニウム層および多孔質シート層からなる断熱シートで被覆してもよい。このような断熱シートで被覆された保冷体ｃ１〜ｃ４を用いることにより、保冷剤の冷却効果の持続時間を長くすることができるとともに、首周りを過度に冷却してしまうことを防ぐことができる。
【００４５】
ただし、保冷体ｃ１〜ｃ４の被覆に用いるこのような断熱シートは熱の移動を完全に遮断するものではなく、保冷剤と体表面との間である程度の熱の移動が可能な素材を用いることが望ましい。
【００４６】
また、保冷体ｃ１〜ｃ４の保冷剤を包む袋には、真珠の粉末を含む層（以下、パール含有層と記載する。）を少なくとも１層以上含むことが好ましい。パール含有層で保冷剤を包み込むことにより、保冷体ｃ１〜ｃ４の冷感持続時間が、図４の試験に用いた保冷体に比べて飛躍的に長くなることを確認した。
【００４７】
保冷体収納部１０は、全体としてカーブした形状であり、その上側縁１０ａ及び下側縁１０ｂは、互いに異なる所定の曲率をもって略円弧状に形成されている。より具体的には、上側縁１０ａの曲率は下側縁１０ｂの曲率よりも大きく構成されている。
【００４８】
このような曲率とすることにより、止着部１１ａと止着部１１ｂとを互いに止着して首冷却バンド１００を略円筒状とした際、上側縁１０ａで形成される円の直径よりも下側縁１０ｂで形成される円の直径の方が大きくなり、後述する図６，７に示すように首冷却バンド１００は下方拡開状となる。
【００４９】
より具体的には、保冷体収納部１０の上側縁１０ａの曲率半径は３８０〜４１０ｍｍ程度とし、保冷体収納部１０の下側縁１０ｂの曲率半径は４７０〜５００ｍｍ程度とすると好適である。
【００５０】
また、保冷体収納部１０の上側縁１０ａの長さは、首上部の最も細い位置における首周りの長さと同程度とし、保冷体収納部１０の下側縁１０ｂの長さは、首後部の下部（首の付け根の位置）から鎖骨辺りまでの長さと同程度とすることが好ましい。
【００５１】
また、保冷体収納部１０は、使用者の首の上下長さに合わせて、長手方向全体に渡って略同幅に形成され、例えば、７０〜１００ｍｍ程度の幅とする。
【００５２】
以上説明したように保冷体収納部１０のサイズを調整することにより、止着部１１ａと止着部１１ｂとを互いに止着して首冷却バンド１００を下方拡開状の略円筒状とした際に、首冷却バンド１００が使用者の首周りの形状に好適にフィットする。
【００５３】
すなわち、保冷体ｃ１〜ｃ４が収納された保冷体収納部１０が使用者の首周りの後部から鎖骨付近までの首を、自然な形で覆うことになる。これにより、首冷却バンド１００による使用者の首回りの冷却効果を向上しつつも、装着による使用者の違和感を少なくし、装着時の美観を向上することができる。
【００５４】
図６、７は、以上説明した首冷却バンド１００の使用状態を示す図である。図６は、使用者の正面から見た図、図７は、使用者の左側面から見た図である。
【００５５】
これらの図に示すように、首冷却バンド１００は、底面側の略中央部を首後部に位置させ、左右の両端を首前方側に巻回して使用する。そして、止着部１１ａ，１１ｂの面ファスナー１１ａ１，１１ｂ１が取り付けてある面同士を互いに当接させることにより、使用者に首周りにフィットした状態で装着される。
【００５６】
このとき、フィット感や冷却効率の観点からは、首冷却バンド１００の上面側を外にして底面側を首側に向けて装着することが望ましい。ただし、袋状部１２〜１５の蓋部１２ａ〜１５ａが外観に現れて美観を損ねる等、使用者の嗜好次第では表裏を逆にして装着してもむろん構わない。
【００５７】
（２）第２の実施形態：
次に、第２の実施形態に係る首冷却バンド２００について説明する。第２の実施形態に係る首冷却バンド２００は、隣接する袋状部の蓋部を共通化し、蓋部を共通化した袋状部の境界部分に当該蓋部を保冷体収納部の表面に止着するための第２の止着部を設けた点で上述した第１の実施形態と異なる。
【００５８】
図８は、第２の実施形態に係る首冷却バンド２００の斜視図であり、図８（ａ）は蓋部を閉じた状態の図、図８（ｂ）は蓋部を開いた状態の図である。なお、同図において、首冷却バンド１００と共通する構成については、上述した第１の実施形態と同じ符号を付し、以下では説明を省略する。
【００５９】
同図において、首冷却バンド２００は、袋状部１２，１３に共通の蓋部２１１と、袋状部１４，１５に共通の蓋部２１２と、蓋部２１１を保冷体収納部１０の外面に固定するための雌雄の面ファスナー２１１ａ，２１１ｂと、蓋部２１２を保冷体収納部１０の外面に固定するための雌雄の面ファスナー２１２ａ，２１２ｂと、を備えている。なお、雌雄の面ファスナー２１１ａ，２１１ｂ及び雌雄の面ファスナー２１２ａ，２１２ｂが第２の止着部に相当する。
【００６０】
このように、複数の袋状部１２，１３の間で蓋部を共通化することにより、図８（ｂ）に示すように、蓋部２１１，２１２から開口への空隙が大きくなり、袋状部１２〜１５に対する保冷体ｃ１〜ｃ４の収納が容易になる。
【００６１】
その一方で、蓋部を共通化した袋状部１２，１３や袋状部１４，１５の境界部分に、面ファスナー２１１ａ，２１１ｂや面ファスナー２１２ａ，２１２ｂを設けてあるため、保冷体ｃ１〜ｃ４を袋状部１２〜１５に収納して面ファスナーを閉じることにより、保冷体ｃ１〜ｃ４が袋状部１２〜１５から飛び出すおそれが無い。
【００６２】
（３）第３の実施形態：
次に、第３の実施形態に係る首冷却バンド３００について説明する。第３の実施形態に係る首冷却バンド３００は、全ての袋状部の蓋部を共通化し、全ての袋状部の中央部に当該蓋部を保冷体収納部の表面に止着するための第３の止着部を設けた点で上述した第１の実施形態や第２の実施形態と異なる。
【００６３】
図９は、第３の実施形態に係る首冷却バンド３００の斜視図であり、図９（ａ）は蓋部を閉じた状態の図、図９（ｂ）は蓋部を開いた状態の図である。なお、同図において、首冷却バンド１００と共通する構成については、上述した第１の実施形態と同じ符号を付し、以下では説明を省略する。
【００６４】
同図において、首冷却バンド３００は、袋状部１２〜１５の共通の蓋部３１１、蓋部３１１を首冷却バンド１００の長手方向において袋状部１２の略中央で保冷体収納部１０の表面に固定するための雌雄の面ファスナー３１２ａ，３１２ｂと、首冷却バンド１００の長手方向において袋状部１３の略中央で保冷体収納部１０の表面に固定するための雌雄の面ファスナー３１３ａ，３１３ｂと、首冷却バンド１００の長手方向において袋状部１４の略中央で保冷体収納部１０の表面に固定するための雌雄の面ファスナー３１４ａ，３１４ｂと、首冷却バンド１００の長手方向において袋状部１５の略中央で保冷体収納部１０の表面に固定するための雌雄の面ファスナー３１５ａ，３１５ｂと、を備えている。なお、雌雄の面ファスナー３１２ａ，３１２ｂ、雌雄の面ファスナー３１３ａ，３１３ｂ、雌雄の面ファスナー３１４ａ，３１４ｂ及び雌雄の面ファスナー３１５ａ，３１５ｂが第３の止着部に相当する。
【００６５】
このように、全ての袋状部１２〜１５の間で蓋部を共通化することにより、図９（ｂ）に示すように、蓋部３１１を押し広げたときの蓋部３１１から各開口への空隙が大きくなり、袋状部１２〜１５に対する保冷体ｃ１〜ｃ４の収納が容易になる。
【００６６】
その一方で、蓋部を共通化した袋状部１２〜１５の、首冷却バンド１００の長手方向における略中央にそれぞれ面ファスナーを設けてあるため、保冷体ｃ１〜ｃ４を袋状部１２〜１５に収納して面ファスナーを閉じることにより、保冷体ｃ１〜ｃ４が袋状部１２〜１５から飛び出すおそれが無い。
【００６７】
（４）まとめ：
以上説明した各実施形態によれば、保冷体ｃ１〜ｃ４を収納するための複数の袋状部１２〜１５が冷却具の長手方向に沿って並設された保冷体収納部１０と、冷却具の長手方向両端に設けられて互いに着脱自在の止着部１１ａ，１１ｂと、冷却具の短手方向端部に沿って袋状部１２〜１５毎に形成された複数の開口部と、開口部の一方の縁部を延長して他方の縁部を覆うように折り返して形成された蓋部と、を備える冷却具が実現される。これにより、装着が容易であるとともに作業時に外れにくく、首周りのフィット感に優れ、装着時の使用者の美観を損ないにくい冷却具を提供することができる。
【００６８】
なお、本考案は上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。また，本考案の技術的範囲は上述した実施形態に限定されず，実用新案登録請求の範囲に記載された事項とその均等物まで及ぶものである。
【符号の説明】
【００６９】
１０…保冷体収納部、１０ａ…上側縁、１０ｂ…下側縁、１１ａ…止着部、１１ｂ…止着部、１１ａ１…面ファスナー、１１ｂ１…面ファスナー、１２〜１５…袋状部、１２ａ〜１５ａ…蓋部、１００…首冷却バンド、２００…首冷却バンド、２１１…蓋部、２１１ａ…面ファスナー、２１１ｂ…面ファスナー、２１２…蓋部、２１２ａ…面ファスナー、２１２ｂ…面ファスナー、３００…首冷却バンド、３１１…蓋部、３１２ａ…面ファスナー、３１２ｂ…面ファスナー、３１３ａ…面ファスナー、３１３ｂ…面ファスナー、３１４ａ…面ファスナー、３１４ｂ…面ファスナー、３１５ａ…面ファスナー、３１５ｂ…面ファスナー、ｃ１〜ｃ４…保冷体
【図１】
0003182147.tif 000003
【図２】
0003182147.tif 000004
【図３】
0003182147.tif 000005
【図６】
0003182147.tif 000006
【図７】
0003182147.tif 000007
【図８】
0003182147.tif 000008
【図９】
0003182147.tif 000009
【図４】
0003182147.tif 000010
【図５】
0003182147.tif 000011